(57)【要約】  本開示の実施例は、ユーザ装置（ＵＥ）などの無線装置をグループに編成し、無線ネットワークリソースをこれらのグループに割り当てるための方法、コンピュータ可読媒体及びシステム構成を説明する。一例となる方法では、無線アクセスネットワーク（ＲＡＮ）ノードは、第１マシーン間（Ｍ２Ｍ）無線装置と第２Ｍ２Ｍ無線装置とをＭ２Ｍ無線装置のグループに編成してもよい。ＲＡＮノードは、その後、Ｍ２Ｍ無線装置のグループに無線ネットワークリソースを割り当ててもよい。他の実施例が説明及び／又は請求されてもよい。
2014511646.tif 000002
【特許請求の範囲】
【請求項１】
コンピュータにより実現される方法であって、
無線アクセスネットワークノードが、第１マシーン間装置と第２マシーン間装置とをマシーン間装置のグループに編成するステップと、
前記無線アクセスネットワークノードが、前記マシーン間装置のグループに無線ネットワークリソースを割り当てるステップと、
前記無線アクセスネットワークノードが、前記第１又は第２マシーン間装置の少なくとも１つに前記無線ネットワークリソースの割当ての通知であって、前記グループを特定するためのグループ識別子を含む前記通知を送信するステップと、
を有する方法。
【請求項２】
前記第１マシーン間装置と第２マシーン間装置とをマシーン間装置のグループに編成するステップは、前記無線アクセスネットワークノードが、前記無線アクセスネットワークノードから前記第１及び第２マシーン間装置の少なくとも１つの距離と、前記無線アクセスネットワークノードから前記第１及び第２マシーン間装置の少なくとも１つの方向との少なくとも１つに基づき、前記第１マシーン間装置と前記第２マシーン間装置とを前記グループに編成するステップを含む、請求項１記載の方法。
【請求項３】
前記第１マシーン間装置と第２マシーン間装置とをマシーン間装置のグループに編成するステップは、前記無線アクセスネットワークノードが、前記第１及び第２マシーン間装置の互いの距離に少なくとも部分的に基づき、前記第１マシーン間装置と前記第２マシーン間装置とを前記グループに編成するステップを含む、請求項１記載の方法。
【請求項４】
前記無線アクセスネットワークノードが、前記マシーン間装置のグループに関するグループ識別子を前記第１及び第２装置に割り当てるステップをさらに有する、請求項１記載の方法。
【請求項５】
前記マシーン間装置のグループに無線ネットワークリソースを割り当てるステップは、前記無線アクセスネットワークノードが、前記マシーン間装置のグループからの装置がデータを送受信するのに利用可能な時間区間及び周波数範囲を割り当てるステップを含む、請求項１記載の方法。
【請求項６】
前記マシーン間装置のグループに無線ネットワークリソースを割り当てるステップは、前記無線アクセスネットワークノードが、前記マシーン間装置のグループからのマシーン間装置がアクセスする専用チャネルを割り当てるステップを含む、請求項１記載の方法。
【請求項７】
前記マシーン間装置のグループに無線ネットワークリソースを割り当てるステップは、前記無線アクセスネットワークノードが、前記マシーン間装置のグループからのマシーン間装置がチャネルにアクセスする時間区間を割り当てるステップを含む、請求項１記載の方法。
【請求項８】
前記マシーン間装置のグループのマシーン間装置から、前記マシーン間装置のグループの代わりにチャネルリクエストを受信するステップをさらに有する、請求項１記載の方法。
【請求項９】
前記無線アクセスネットワークノードが、前記マシーン間装置のグループの装置に所定の順序により前記無線ネットワークリソースへのアクセスを提供するステップをさらに有する、請求項１記載の方法。
【請求項１０】
前記無線アクセスネットワークノードが、前記マシーン間装置のグループの装置に前記無線ネットワークリソースへの順次のアクセスを提供するステップをさらに有する、請求項９記載の方法。
【請求項１１】
共通の物理レイヤパラメータセットを利用して、前記マシーン間装置のグループの個々のマシーン間装置と通信するステップをさらに有する、請求項１記載の方法。
【請求項１２】
プロセッサと、
前記プロセッサに接続されるメモリと、
制御モジュールと、
を有するマシーン間装置であって、
前記制御モジュールは、
当該マシーン間装置がマシーン間装置のグループに属していると判断し、
無線ネットワークリソースが無線アクセスネットワークノードにより前記グループに割り当てられているという通知を受信し、
前記マシーン間装置のグループに割り当てられた無線ネットワークリソースを利用して、無線信号の送信を実行する、
よう構成されるマシーン間装置。
【請求項１３】
前記制御モジュールはさらに、前記無線アクセスネットワークノードから受信したグループ識別子に基づき、当該マシーン間装置が前記マシーン間装置のグループに属していると判断するよう構成される、請求項１２記載のマシーン間装置。
【請求項１４】
前記制御モジュールはさらに、前記マシーン間装置のグループの他の装置から受信したグループ識別子に基づき、当該マシーン間装置が前記マシーン間装置のグループに属していると判断するよう構成される、請求項１２記載のマシーン間装置。
【請求項１５】
前記制御モジュールはさらに、当該マシーン間装置が前記マシーン間装置のグループに属しているという当該マシーン間装置のメモリに格納されている通知に基づき、当該マシーン間装置が前記マシーン間装置のグループに属していると判断するよう構成される、請求項１２記載のマシーン間装置。
【請求項１６】
前記無線ネットワークリソースは、前記マシーン間装置のグループからの装置がデータを送受信するのに利用可能な時間区間と周波数範囲とである、請求項１２記載のマシーン間装置。
【請求項１７】
前記無線ネットワークリソースは、前記マシーン間装置のグループからの装置がアクセスする専用チャネルである、請求項１２記載のマシーン間装置。
【請求項１８】
前記無線ネットワークリソースは、前記マシーン間装置のグループからの装置がチャネルにアクセスする時間区間である、請求項１２記載のマシーン間装置。
【請求項１９】
前記制御モジュールはさらに、前記マシーン間装置のグループの代わりにチャネルリクエストを無線通信インタフェースを介し前記無線アクセスネットワークノードに送信するよう構成される、請求項１２記載のマシーン間装置。
【請求項２０】
前記制御モジュールはさらに、基準を充足しているという判定に基づき、当該マシーン間装置が前記マシーン間装置のグループに属していると判断するよう構成される、請求項１２記載のマシーン間装置。
【請求項２１】
前記基準は、前記無線アクセスネットワークノードからの当該マシーン間装置の距離又は方向に少なくとも部分的に基づく、請求項２０記載のマシーン間装置。
【請求項２２】
ＧＰＳモジュールをさらに有し、
前記制御モジュールはさらに、
前記ＧＰＳモジュールから当該マシーン間装置の地理的座標を受信し、
前記ＧＰＳ座標を前記無線通信インタフェースを介し前記無線アクセスネットワークノードに送信する、
よう構成される、請求項２０記載のマシーン間装置。
【請求項２３】
前記制御モジュールはさらに、前記無線アクセスネットワークノードにより規定された所定の順序に基づき、前記無線ネットワークリソースを前記マシーン間装置のグループの他の装置と共有するよう構成される、請求項１２記載のマシーン間装置。
【請求項２４】
前記制御モジュールはさらに、前記無線アクセスネットワークノードと通信するため、１以上の物理レイヤパラメータを前記マシーン間装置のグループの他の装置と共有するよう構成される、請求項１２記載のマシーン間装置。
【請求項２５】
１以上のプロセッサと、
複数のマシーン間無線装置の動作パラメータを受信し、前記受信した動作パラメータに基づき第１マシーン間無線装置と第２マシーン間無線装置とをマシーン間無線装置のグループに編成し、無線ネットワークリソースを前記マシーン間装置のグループに割り当てるよう前記１以上のプロセッサのプロセッサにより実行されるよう構成される制御モジュールと、
を有するコンピュータシステム。
【請求項２６】
前記動作パラメータは、当該コンピュータシステムからの前記第１及び第２マシーン間無線装置の少なくとも１つの距離を含む、請求項２５記載のコンピュータシステム。
【請求項２７】
前記動作パラメータは、当該コンピュータシステムからの前記第１及び第２マシーン間無線装置の少なくとも１つの方向を含む、請求項２５記載のコンピュータシステム。
【請求項２８】
１以上のプロセッサと、
無線通信インタフェースと、
センサと、
制御モジュールと、
を有するマシーン間システムであって、
前記制御モジュールは、
当該マシーン間システムがマシーン間システムのグループに属すると判断し、
無線ネットワークリソースが無線アクセスネットワークノードにより前記グループに割り当てられるという通知を受信し、
前記マシーン間システムのグループに割り当てられた無線ネットワークリソースを利用して、前記無線通信インタフェースを介し信号を送信し、
前記無線通信インタフェースを介し前記センサにより取得された情報をアプリケーションサーバに定期的に通信する、
よう前記１以上のプロセッサのプロセッサにより実行されるよう構成されるマシーン間システム。
【請求項２９】
ＧＰＳモジュールをさらに有し、
前記制御モジュールはさらに、
前記ＧＰＳモジュールから当該マシーン間システムの地理的座標を受信し、
前記ＧＰＳ座標を前記無線通信インタフェースを介し前記無線アクセスネットワークノードに送信する、
よう構成される、請求項２８記載のマシーン間システム。
【発明の詳細な説明】
【技術分野】
【０００１】
本発明の実施例は、一般に無線伝送の分野に関し、より詳細には無線リソースを無線装置のグループに割り当てることに関する。
【背景技術】
【０００２】
ここに提供される背景の説明は、開示の内容を一般的に提供するためのものである。現在の名義人の発明者の研究は、本背景セクションに記載される程度まで、出願時に従来技術とみなされない説明の側面と共に、本開示に対する従来技術の明示的又は非明示的な自認でない。特段の断りがない場合、本セクションで説明されるアプローチは、本開示の請求項に対する従来技術でなく、本セクションに包含することによって従来技術であると自認するものでない。
【０００３】
マシーン間（Ｍ２Ｍ）無線マシーン又は装置（以降、“装置”と呼ぶ）は、ほとんど又は全く人間による介入なく、他のマシーン又は装置と主として又は排他的に通信する。Ｍ２Ｍ装置の具体例は、無線気象センサ、アセンブリラインセンサ、フリートの車両を追跡するメータなどを含むものであってもよい。多くのケースにおいて、これらの装置は、無線ネットワークにログオンし、インターネットなどを介しネットワークサーバと通信する。３ＧＰＰ  Ｌｏｎｇ  Ｔｅｒｍ  Ｅｖｏｌｕｔｉｏｎ（“ＬＴＥ”）Ｒｅｌｅａｓｅ  １０（２０１１年３月）（“ＬＴＥ規格”）の用語では、Ｍ２Ｍは、あるいは“マシーンタイプ通信”（ＭＴＣ）と呼ばれてもよい。Ｍ２Ｍ装置はまた、第三世代（３Ｇ）ネットワークと共に、２００９年５月２９日に公開されたＩＥＥＥ  ８０２．１６規格  ＩＥＥＥ  Ｓｔｄ．８０２．１６−２００９と共に利用されてもよい。
【０００４】
いくつかのケースにおいて、Ｍ２Ｍ装置は、地理的に分散されたクラスタにより配置されてもよい。例えば、Ｍ２Ｍ装置のクラスタは、建物に配置されるか、又は建物の特定のエリア内に配置されてもよい。これらのＭ２Ｍ装置は、接続ポイントから無線アクセスネットワーク（ＲＡＮ）まで同様の距離及び／又は方向であってもよく、当該接続ポイントは、以降において“ＲＡＮノード”と呼ばれ、送信電力設定又は変調及びコード選択などの類似する物理レイヤの性質を用いて接続ポイントと通信してもよい。
【図面の簡単な説明】
【０００５】
各実施例は、添付した図面と共に以下の詳細な説明により容易に理解されるであろう。説明を容易にするため、同様の参照番号は同様の構成要素を示す。各実施例は、具体例により示され、添付した図面に限定されるものでない。
【図１】図１は、本開示の実施例によるグループに編成可能な一例となる無線ネットワーク及び無線装置を概略的に示す。
【図２】図２は、本開示の実施例による一例となるグループスケジューリングスキームを概略的に示す。
【図３】図３は、本開示の実施例による一例となる方法を概略的に示す。
【図４】図４は、本開示の実施例による一例となるシステムを概略的に示す。
【発明を実施するための形態】
【０００６】
以下の詳細な説明では、その一部を構成する添付した図面が参照される。図面では、同様の数字は同様のパーツを示し、実現可能な実施例が図示される。他の実施例が利用されてもよく、本開示の範囲から逸脱することなく構成的又は論理的変更が可能であることが理解されるべきである。従って、以下の詳細な説明は、限定的にとられるべきでなく、実施例の範囲は添付した請求項及びその均等により規定される。
【０００７】
各種処理は、請求された主題を理解するのに最も役立つ方法により複数の別々のアクション又は処理として説明されるかもしれない。しかしながら、説明の順序は、これらの処理が必ずしも順序に依存することを意味すると解釈されるべきでない。特に、これらの処理は、説明の順序で実行されなくてもよい。説明される処理は、説明される実施例と異なる順序により実行されてもよい。様々な追加的な処理が実行されてもよく、及び／又は説明された処理は追加的な実施例において省略されてもよい。
【０００８】
本開示のため、“Ａ及び／又はＢ”という表現は、（Ａ）、（Ｂ）又は（ＡかつＢ）を意味する。本開示のため、“Ａ、Ｂ及び／又はＣ”という表現は、（Ａ）、（Ｂ）、（Ｃ）、（ＡかつＢ）、（ＡかつＣ）、（ＢかつＣ）又は（Ａ、ＢかつＣ）を意味する。
【０００９】
本説明は、同一の又は異なる実施例の１以上をそれぞれが表す“実施例では”という表現を利用するかもしれない。さらに、本開示の実施例に関連して利用される“有する”、“含む”などの用語は同義的である。
【００１０】
ここで用いられる“モジュール”という用語は、説明される機能を提供する１以上のソフトウェア若しくはファームウェアプログラム、組み合わせ的な論理回路及び／又は他の適切なコンポーネントを実行する特定用途向け集積回路（ＡＳＩＣ）、電子回路、プロセッサ（共有、専用又はグループ）及び／又はメモリ（共有、専用又はグループ）を参照してもよく、その一部であってもよく、又は含むものであってもよい。ここで用いられる“コンピュータにより実現される方法”は、１以上のプロセッサ、１以上のプロセッサを有するコンピュータシステム、スマートフォン（１以上のプロセッサを含むものであってもよい）、タブレット若しくはラップトップコンピュータなどのモバイル装置、セットトップボックス、ゲームコンソールなどにより実行される何れかの方法を表すものであってもよい。各種実施例では、コンピュータにより実現される方法は、ｅｖｏｌｖｅｄ  Ｎｏｄｅ  Ｂ（ｅＮＢ）、第１マシーン間（Ｍ２Ｍ）ユーザ装置（ＵＥ）及び第２Ｍ２Ｍ  ＵＥ装置によって、Ｍ２Ｍ  ＵＥ装置に構成することを含むものであってもよい。本方法はさらに、ｅＮＢが無線ネットワークリソースをＭ２Ｍ  ＵＥ装置のグループに割り当てることを含むものであってもよい。本方法はさらに、ｅＮＢが第１又は第２Ｍ２Ｍ  ＵＥ装置の少なくとも１つに無線ネットワークリソースの割当ての指示を送信することを含むものであってもよく、当該指示は、グループを特定するためのグループ識別子を含む。
【００１１】
各種実施例では、第１Ｍ２Ｍ  ＵＥ装置と第２Ｍ２Ｍ  ＵＥ装置とをグループに編成することは、ｅＮＢがｅＮＢから第１及び第２Ｍ２Ｍ  ＵＥ装置の少なくとも１つの距離と、ｅＮＢから第１及び第２Ｍ２Ｍ  ＵＥ装置の少なくとも１つの方向との少なくとも１つに基づき、第１Ｍ２Ｍ  ＵＥ装置と第２Ｍ２Ｍ  ＵＥ装置とをグループに編成することを含むものであってもよい。各種実施例は、第１及び第２Ｍ２Ｍ  ＵＥ装置をグループに編成することは、ｅＮＢが第１及び第２Ｍ２Ｍ  ＵＥ装置の互いとの距離に少なくとも部分的に基づき、第１及び第２Ｍ２Ｍ  ＵＥ装置をグループに編成することを含むものであってもよい。
【００１２】
各種実施例では、コンピュータにより実現される方法はさらに、ｅＮＢがＭ２Ｍ  ＵＳ装置のグループに関するグループ識別子を第１及び第２ＵＥ装置に割り当てることを含むものであってもよい。各種実施例では、無線ネットワークリソースをＭ２Ｍ  ＵＥ装置のグループに割り当てることは、ｅＮＢが、Ｍ２Ｍ  ＵＥ装置のグループからのＵＥ装置がデータを送受信するのに利用する時間区間及び周波数範囲を割り当てることを含むものであってもよい。各種実施例では、無線ネットワークリソースをＭ２Ｍ  ＵＥ装置のグループに割り当てることは、ｅＮＢが、Ｍ２Ｍ  ＵＥ装置のグループからのＭ２Ｍ  ＵＥ装置がアクセス可能な専用チャネルを割り当てることを含むものであってもよい。各種実施例では、無線ネットワークリソースをＭ２Ｍ  ＵＥ装置のグループに割り当てることは、ｅＮＢが、Ｍ２Ｍ  ＵＥ装置からのＭ２Ｍ  ＵＥ装置がチャネルにアクセスする時間区間を割り当てることを含むものであってもよい。
【００１３】
各種実施例では、コンピュータにより実現される方法は、Ｍ２Ｍ  ＵＥ装置のグループのＭ２Ｍ  ＵＥ装置からＭ２Ｍ  ＵＥ装置のグループの代わりにチャネルリクエストを受信することを含むものであってもよい。各種実施例では、本方法は、ｅＮＢが所定の順序により無線ネットワークリソースへのアクセスをＭ２Ｍ  ＵＥ装置のグループのＵＥ装置に提供することを含むものであってもよい。各種実施例では、本方法は、ｅＮＢが無線ネットワークリソースへの順次なアクセスをＭ２Ｍ  ＵＥ装置のグループのＵＥ装置に提供することを含むものであってもよい。各種実施例では、本方法は、共通の物理レイヤパラメータセットを利用して、Ｍ２Ｍ  ＵＥ装置のグループの個々のＭ２Ｍ  ＵＥ装置と通信することを含むものであってもよい。
【００１４】
各種実施例では、ＵＥ装置は、無線通信インタフェースと、ＵＥ装置がＭ２Ｍ  ＵＥ装置のグループに属すると決定するよう構成される制御モジュールとを有してもよい。制御モジュールはまた、無線ネットワークリソースがｅＮＢによりグループに割り当てられるという通知を受信するよう構成されてもよい。制御モジュールはまた、Ｍ２Ｍ  ＵＥ装置のグループに割り当てられた無線ネットワークリソースを利用して、無線通信インタフェースを介し信号を送信するよう構成されてもよい。
【００１５】
各種実施例では、コンピュータシステムは、１以上のプロセッサと、複数のＭ２Ｍ無線装置の動作パラメータを受信するため１以上のプロセッサのプロセッサによって実行されるよう構成される制御モジュールとを有してもよい。制御モジュールはさらに、受信した動作パラメータに基づき第１及び第２Ｍ２Ｍ無線装置をＭ２Ｍ無線装置のグループに編成し、無線ネットワークリソースをＭ２Ｍ無線装置のグループに割り当てるためプロセッサにより実行されるよう構成されてもよい。
【００１６】
各種実施例では、ＵＥシステムは、１以上のプロセッサ、無線通信インタフェース、センサ及びＭ２Ｍ  ＵＥシステムのグループにＵＥシステムが属していると決定するため１以上のプロセッサのプロセッサにより実行されるよう構成される制御モジュールを有してもよい。制御モジュールはさらに、無線ネットワークリソースがｅＮＢによりグループに割り当てられることの通知を受信し、Ｍ２Ｍ  ＵＥシステムのグループに割り当てられた無線ネットワークリソースを用いて無線通信インタフェースを介し信号を送信し、無線通信インタフェースを介しアプリケーションサーバにセンサにより取得された情報を定期的に通信するようプロセッサにより実行されるよう構成されてもよい。
【００１７】
図１は、ｅＮＢ１２の形態のＲＡＮノードを有する一例となる無線ネットワーク１０を概略的に示す。ここに説明される実施例は主としてＬＴＥネットワークコンポーネントを含むが、開示されるシステム、方法及び装置は、ＷｉＭＡＸや３ＧなどのＭ２Ｍ装置が利用される他のタイプの無線ネットワーク上で実現されてもよいことが理解されるべきである。
【００１８】
ｅＮＢ１２は、例えば、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の形態の無線アクセスネットワーク（ＲＡＮ）とＥＰＣ（Ｅｖｏｌｖｅｄ  Ｐａｃｋｅｔ  Ｃｏｒｅ）の形態のコアネットワークなどを介しパケットデータネットワークゲートウェイ（ＰＧＷ）１４と通信してもよい。ＰＧＷ１４はさらにネットワーク１６に接続されてもよい。ネットワーク１６は、インターネットと共に１以上のローカル又はワイドエリアネットワークを含むものであってもよい。ネットワーク１６に接続される第１アプリケーションサーバ１８は、ｅＮＢ１２と接続する１以上のＭ２Ｍ  ＵＥ装置又はＭ２Ｍ  ＵＥ装置のグループと通信するよう構成されてもよい。
【００１９】
Ｍ２Ｍ  ＵＥ装置を含む複数のＵＥ装置は、ｅＮＢ１２を介し無線ネットワーク１０と接続するよう構成されてもよい。Ｍ２Ｍ  ＵＥ装置は、各種基準に基づきグループに編成されてもよく、これにより、ｅＮＢ１２は、１以上の無線ネットワークリソースをＭ２Ｍ  ＵＥ装置のグループに割り当ててもよい。一部の実施例では、Ｍ２Ｍ無線装置は、ｅＮＢ１２などの無線ネットワークのノードによってグループに編成されてもよい。他の実施例では、Ｍ２Ｍ無線装置は、それらをグループに編成し、ｅＮＢ１２などのＲＡＮノードにグループ化リクエストを送信してもよい。一部の実施例では、グループのＭ２Ｍ無線装置にはそれぞれ、例えば、ｅＮＢ１２がグループの各Ｍ２Ｍ無線装置にグループ識別子を報知するなどによって、同一のグループ識別子が割り当てられてもよい。
【００２０】
Ｍ２Ｍ無線装置をグループに編成するのに利用可能な１つの基準は、ＲＡＮノードからのＭ２Ｍ無線装置の距離である。他の基準は、ＲＡＮノードからのＭ２Ｍ無線装置の方向である。一部の実施例では、双方が利用される。例えば、図１では、ｅＮＢ１２は、ｅＮＢ１２から特定の方向に特定の距離の範囲内にある複数の近接するＭ２Ｍ  ＵＥ装置２２をグループ２４に構成してもよい。Ｍ２Ｍ  ＵＥ装置２８の第２グループ２６は、互いに近傍にあってもよいが、ｅＮＢ１２と異なる方向及び／又はさらなる距離にあってもよい。さらに又は代わりに、一部の実施例では、Ｍ２Ｍ無線装置は、Ｍ２Ｍ無線装置の相互の距離に少なくとも部分的に基づきグループに編成されてもよい。
【００２１】
ｅＮＢ１２などの無線ネットワークのノードは、各種方法によりＭ２Ｍ無線装置の距離及び／又は方向を検出するよう構成されてもよい。一部の実施例では、ＲＡＮノードは、距離及び／又は方向を用いてＭ２Ｍ無線装置の位置を直接的に検出するよう構成されてもよい。一部の実施例では、ＲＡＮノードは、例えば、測定信号及び／又はチャネルクオリティなどによって、Ｍ２Ｍ無線装置の位置及び／又は距離を間接的に決定するよう構成されてもよい。一部の実施例では、Ｍ２Ｍ無線装置には、ＧＰＳ（Ｇｌｏｂａｌ  Ｐｏｓｉｔｉｏｎｉｎｇ  Ｓｙｓｔｅｍ）モジュールが備えられてもよく、ＲＡＮノードに自らのＧＰＳ座標を通信するよう構成されてもよい。
【００２２】
ＲＡＮノードがＭ２Ｍ無線装置をグループに編成するのに利用可能な他の基準は、Ｍ２Ｍ無線装置により提供される機能又は役割である。例えば、図１において、Ｍ２Ｍ  ＵＥ装置３０は、フリートの車両（タクシーなど）に配置される。ｅＮＢ１２は、特定の機能又は役割に基づき、これらのＭ２Ｍ  ＵＥ装置３０を他のグループに編成してもよい。第２グループのＭ２Ｍ  ＵＥ装置３０は、例えば、各自の位置を定期的に報告するため、第１アプリケーションサーバ１８と通信するよう構成されてもよい。
【００２３】
Ｍ２Ｍ無線装置がグループに編成されると、無線ネットワークリソースがグループに割り当てられる。グループの各Ｍ２Ｍ無線装置は、その後にグループに割り当てられたネットワークリソースを共有してもよい。
【００２４】
各種無線リソースが、各種理由のためＭ２Ｍ無線装置のグループに割り当てられてもよい。一部の実施例では、無線リソースは、グループのＭ２Ｍ無線装置のトラフィックモデルに基づきグループに割り当てられてもよい。一部の実施例では、Ｍ２Ｍ無線装置のグループに割り当てられる無線リソースは、グループの各Ｍ２Ｍ無線装置のセッションにわたって永続的なものであってもよい。これは、複数のＭ２Ｍ無線装置が少量の別々のデータをやりとりするためネットワークに繰り返し接続及び再接続するオーバヘッドを低減する。いくつかの無線リソースの割当ては、例えば、定期的又は擬似定期的なトラフィックモデルについて、長期において永続的なものであってもよい。他のリソース割当ては、例えば、非定期的トラフィックモデルなどのため、瞬時なもの又は少なくともより短期なものであってもよい。
【００２５】
一部の実施例では、時間区間及び／又は周波数範囲が、Ｍ２Ｍ無線装置のグループのＭ２Ｍ無縁装置に割り当てられ、これらを用いてデータを送信してもよい。これの具体例が図２に示され、ＵＥ装置の第１グループ２１０（ＵＥ１〜ＵＥ３）が、ＵＥ装置の第２グループ２１４（ＵＥ４〜ＵＥ６）と送信を交代する。第１グループ２１０には、定期的な時間区間Ｔ１内の時間のセグメントが割り当てられる。第２グループ２１４には、第２時間区間Ｔ２内の時間のセグメントが割り当てられる。ＲＡＮノード（ｅＮＢ１２など）は、Ｍ２Ｍ無線装置のグループに割り当てられた送信時間が互いに重複又は干渉しないことを保証するよう構成されてもよい。
【００２６】
各種実施例では、ＲＡＮノードは、Ｍ２Ｍ無線装置のグループに当該グループからのＭ２Ｍ無線装置がアクセスする専用チャネルを割り当ててもよい。各種実施例では、ＲＡＮノードは、Ｍ２Ｍ無線装置のグループに当該グループからのＭ２Ｍ  ＵＥ装置が特定のチャネルにアクセスする時間区間を割り当ててもよい。
【００２７】
通信を簡単化するため、一部の実施例では、グループからの１以上のＭ２Ｍ装置に、ＲＡＮノードと制御情報をやりとりするため、グループの代表の役割が割り当てられてもよい。例えば、ｅＮＢ１２は、Ｍ２Ｍ  ＵＥ装置２２のグループ２４のＭ２Ｍ  ＵＥ装置から、Ｍ２Ｍ  ＵＥ装置２２のグループ２４の代わりにチャネルリクエストを受信してもよい。
【００２８】
グループの個々のＭ２Ｍ無線装置は、当該グループに割り当てられた無線リソースにコンテンション又はコンテンションフリーにアクセスしてもよい。コンテンションフリーの実施例では、個々のＭ２Ｍ装置は、所定の順序によりチャネルなどの無線リソースにアクセスしてもよい。一部の実施例では、無線ネットワークリソースへの順次のアクセスは、グループのＭ２Ｍ無線装置に提供されてもよい。当該順序は、ＲＡＮノード（ｅＮＢ１２など）又は他のネットワークコンポーネントにより規定されてもよい。同様に、物理レイヤパラメータは、制御処理及びシグナリングを簡単化するため、グループのＭ２Ｍ無線装置間で共有されてもよい。例えば、チャネルクオリティ（ＣＱＩなど）及び／又はフィードバックの１つの測定結果が、グループのすべてのＭ２Ｍ無線装置の代表としてＲＡＮノードに送信されてもよい。グループの個々のＭ２Ｍ無線装置間に共有されるパラメータの他の具体例は、送信電力設定、プリコーディング行列インジケータ、変調及び符号化選択を含む。
【００２９】
図３は、ｅＮＢ１２などのネットワークの各種ノードにより実現可能な一例となる方法３００を示す。本方法はＬＴＥネットワークに関して説明されるが、同様の処理が、ＷｉＭＡＸや３Ｇなどの他のタイプのネットワークの同様のノードにより実行されてもよい。さらに、ある順序により示されているが、それは限定的であると意味しておらず、一部の処理は異なる順序により実行されてもよく、及び／又は省略されてもよい。
【００３０】
３０２において、第１Ｍ２Ｍ  ＵＥ装置と第２Ｍ２Ｍ  ＵＥ装置とが、例えば、ｅＮＢ１２によってＭ２Ｍ  ＵＥ装置のグループ（ＵＥ装置３０により形成されるグループ２４，２６など）に編成されてもよい。３０４において、グループに関連するグループ識別子が、第１及び第２Ｍ２Ｍ  ＵＥ装置に割り当てられてもよい。
【００３１】
３０６において、無線ネットワークリソースが、Ｍ２Ｍ  ＵＥ装置のグループに割り当てられてもよい。何れかの個数の無線リソースが、３０６において割り当てられてもよい。例えば、３０８において、時間区間及び／又は周波数範囲が、Ｍ２Ｍ  ＵＥ装置のグループに割り当てられてもよい。３１０において、チャネルリクエストが、例えば、ｅＮＢ１２によってＭ２Ｍ  ＵＥ装置のグループ全体のため受信されてもよい。これに応答して、３１２において、ｅＮＢ１２は、グループのＭ２Ｍ  ＵＥ装置がアクセス可能な専用チャネル又は専用チャネルの時間／周波数区間を割り当ててもよい。
【００３２】
ここに説明された技術及び装置は、所望されるように設定するのに適したハードウェア及び／又はソフトウェアを用いたシステムに実現されてもよい。図４は、一実施例について、１以上のプロセッサ４０４、プロセッサ４０４の少なくとも１つに接続されるシステム制御ロジック４０８、システム制御ロジック４０８に接続されるシステムメモリ４１２、システム制御ロジック４０８に接続される不揮発性メモリ（ＮＶＭ）／ストレージ４１６、及びシステム制御ロジック４０８に接続される１以上の無線通信インタフェース４２０を有する一例となるシステム４００を示す。
【００３３】
一実施例によるシステム制御ロジック４０８は、プロセッサ４０４の少なくとも１つとの何れか適切なインタフェース及び／又はシステム制御ロジック４０８と通信する何れか適切な装置又はコンポーネントを提供するのに適した何れかのインタフェースコントローラを有してもよい。
【００３４】
一実施例によるシステム制御ロジック４０８は、システムメモリ４１２とのインタフェースを提供する１以上のメモリコントローラを有してもよい。システムメモリ４１２は、例えば、システム４００のデータ及び／又は命令をロード及び格納するのに利用されてもよい。一実施例によるシステムメモリ４１２は、例えば、適切なＤＲＡＭ（Ｄｙｎａｍｉｃ  Ｒａｎｄｏｍ  Ａｃｃｅｓｓ  Ｍｅｍｏｒｙ）などの何れか適切な揮発性メモリを有してもよい。
【００３５】
一実施例によるシステム制御ロジック４０８は、ＮＶＭ／ストレージ４１６及び無線通信インタフェース４２０とのインタフェースを提供するため１以上の入出力（Ｉ／Ｏ）コントローラを有してもよい。
【００３６】
ＮＶＭ／ストレージ４１６は、例えば、データ及び／又は命令を格納するのに利用されてもよい。ＮＶＭ／ストレージ４１６は、フラッシュメモリなどの何れか適切な不揮発性メモリを有してもよく、及び／又は１以上のハードディスクドライブ（ＨＤＤ）、１以上のソリッドステートドライブ、１以上のＣＤドライブ及び／又は１以上のＤＶＤドライブなどの何れか適切な不揮発性記憶装置を有してもよい。
【００３７】
ＮＶＭ／ストレージ４１６は、システム４００がインストールされる装置のストレージリソースの物理的部分を有してもよく、又は一部に限定することなく装置によりアクセス可能とされてもよい。例えば、ＮＶＭ／ストレージ４１６は、無線通信インタフェース４２０を介しネットワーク上でアクセスされてもよい。
【００３８】
システムメモリ４１２及びＮＶＭ／ストレージ４１６はそれぞれ、特に制御モジュール４２４の一時的及び永続的なコピーを有してもよい。制御モジュール４２４は、プロセッサ４０４の少なくとも１つにより実行されると、システム４００に上述されたようなＭ２Ｍ無線装置のグループ化及び無線ネットワークリソースの割当てを実行させる命令を有してもよい。一部の実施例では、制御モジュール４２４は、さらに／代わりにシステム制御ロジック４０８に配置されてもよい。
【００３９】
無線通信インタフェース４２０は、システム４００が１以上のネットワークを介し及び／又は他の何れか適切な装置と通信するためのインタフェースを提供してもよい。無線通信インタフェース４２０は、無線ネットワークアダプタなどの何れか適切なハードウェア及び／又はファームウェアを有してもよい。無線通信インタフェース４２０は、１以上のアンテナを利用してもよい。
【００４０】
一実施例について、プロセッサ４０４の少なくとも１つは、システム制御ロジック４０８の１以上のコントローラのためのロジックと共にパッケージ化されてもよい。一実施例について、プロセッサ４０４の少なくとも１つは、ＳｉＰ（Ｓｙｓｔｅｍ  ｉｎ  Ｐａｃｋａｇｅ）を構成するため、システム制御ロジック４０８の１以上のコントローラのためのロジックと共にパッケージ化されてもよい。一実施例について、プロセッサ４０４の少なくとも１つは、システム制御ロジック４０８の１以上のコントローラのためのロジックと同一のダイ上に一体化されてもよい。一実施例について、プロセッサ４０４の少なくとも１つは、ＳｏＣ（Ｓｙｓｔｅｍ  ｏｎ  Ｃｈｉｐ）を構成するため、システム制御ロジック４０８の１以上のコントローラのためのロジックと同一ダイ上に一体化されてもよい。
【００４１】
システム４００は、デスクトップ若しくはラップトップコンピュータ、携帯電話、スマートフォン、又は無線通信信号を送受信するよう構成される他の何れかの装置であってもよい。各種実施例では、システム４００は、より多く又はより少ないコンポーネント及び／又は異なるアーキテクチャを有してもよい。例えば、図４において、システム４００は、ＧＰＳモジュール４３８及びセンサ４４２を有する。センサ４４２は、気象状態、温度、アセンブリライン状態などの何れかの個数の状態を検知し、定期的に、リクエストによって又は当該状態が特定の基準（温度閾値など）を充足する毎に、検知した状態をアプリケーションサーバに報告してもよい。
【００４２】
説明のため特定の実施例が図示及び説明されたが、同一の目的を実現するため計算される広範な他の及び／又は均等な実施例又は実現形態が、本開示の範囲から逸脱することなく図示及び説明される実施例について代替されてもよい。本出願は、ここに説明される実施例の何れかの変形又は適応をカバーすることが意図される。従って、ここに説明される実施例は請求項及びその均等によってのみ限定されることが明白に意図される。
【図１】
2014511646.tif 000003
【図２】
2014511646.tif 000004
【図３】
2014511646.tif 000005
【図４】
2014511646.tif 000006
【国際調査報告】
2014511646.tif 000007
2014511646.tif 000008